Podtech/llm-jp-corpus-v4-ja_patent huggingface dataset:
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
円筒形の周縁壁を有し電気絶縁材料で構築された円環状絶縁体と、
前記円筒形の周縁壁に固定的に取り付けられて該周縁壁を超えて延在している壁部材と、
該壁部材に隣接して配置され、該壁部材及び前記絶縁体により形成される隅部に近接して延在する端部を有する第一の遮蔽体と、
を備え、
前記第一の遮蔽体と前記壁部材とが電気的に結合している、Ｘ線管（１２）用のモジュール型絶縁体アセンブリ（１２０）。
【請求項２】
前記壁部材はＸ線管フレーム及びＸ線管フランジ壁の一方であり、前記円筒形の周縁壁は前記円環状絶縁体の外周壁であり、前記壁部材が該外周壁に取り付けられている、請求項１に記載のモジュール型絶縁体アセンブリ。
【請求項３】
前記壁部材は、中心軸を有する円筒形の壁部材であり、当該モジュール型絶縁体アセンブリは、円錐形部分及びトロイド状部分を有する第二の遮蔽体をさらに含んでおり、前記円錐形部分の底辺が前記壁部材に取り付けられ、前記トロイド状部分は、前記円錐形部分よりも前記中心軸に近接して配置され、前記第二の遮蔽体が前記第一の遮蔽体に電気的に結合している、請求項２に記載のモジュール型絶縁体アセンブリ（１２０）。
【請求項４】
前記壁部材を含んでおりカソードを支持している中柱をさらに含んでおり、前記円筒形の周縁壁は前記円環状絶縁体の内周壁を含んでおり、前記中柱が該内周壁に取り付けられている、請求項１に記載のモジュール型絶縁体アセンブリ（１２０）。
【請求項５】
前記円環状絶縁体は前記円筒形の周縁壁に隣接して内部に形成された空洞を有し、前記第一の遮蔽体の前記端部は該空洞の内部まで延在し、前記円筒形の周縁壁に電気的に結合している、請求項１に記載のモジュール型絶縁体アセンブリ（１２０）。
【請求項６】
真空領域を封入するように構成されているＸ線管フレームを有しており、前記壁部材、前記絶縁体、及び前記真空領域の合流が接合点を形成しており、該接合点において前記壁部材の前記周縁に施されたセラミック皮膜であって、前記壁部材に沿って、前記接合点から前記第一の遮蔽体の前記近接した端部までの距離よりも長い前記接合点からの距離まで延在しているセラミック皮膜をさらに含んでいる請求項１に記載のモジュール型絶縁体アセンブリ（１２０）。
【請求項７】
Ｘ線管（１２）を製造する方法であって、
真空領域を封入するように構成されたＸ線管フレームを設けるステップと、
周縁壁を有する電気絶縁体を設けるステップと、
前記真空領域に露出した表面を有する壁部材を前記周縁壁に取り付けるステップであって、前記絶縁体、前記壁表面及び前記真空領域の合流が接合点を形成する、取り付けるステップと、
前記接合点に近接して第一の遮蔽体の一方の端部を配置するステップと、
前記第一の遮蔽体と前記壁部材とを電気的に結合するステップと、
を含んでいる、方法。
【請求項８】
前記接合点の近傍において、前記壁部材の表面の少なくとも一部にセラミック皮膜を施すステップを更に含み、前記セラミック皮膜は、前記壁部材の表面に沿って、前記接合点から前記一方の端部までの距離よりも長い距離延在し、これにより電子の放出を減じている、請求項７に記載の方法。
【請求項９】
前記壁部材はＸ線管フレーム及びＸ線管フランジ壁の一方であり、前記円筒形の周縁壁は前記円環状絶縁体の外周壁であり、前記壁部材が該外周壁に取り付けられている、請求項７又は８に記載の方法。
【請求項１０】
Ｘ線検出器と、
Ｘ線管と
を備えたイメージング・システムであって、前記Ｘ線管は、
外周壁と内周壁とを有する円環状絶縁体と、
前記外周壁に取り付けられており、中心軸を有し該中心軸の周りの真空領域を包囲するように構成されている円筒形の壁部材であって、前記絶縁体、前記壁部材及び前記真空領域の合流が第一の接合点を形成している、円筒形の壁部材と、
円錐形部分及びトロイド状部分を有する第一の遮蔽体であって、前記円錐形部分の底辺が前記壁部材に取り付けられ、前記トロイド状部分は前記壁部材と前記中心軸との間の前記真空領域に配置されている、第一の遮蔽体と
を含み、
前記第一の遮蔽体と前記壁部材とが電気的に結合している、イメージング・システム。
【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
金を含む金属層と、
前記金属層上の第１の極性を有する反射導電層と、
前記反射導電層上にある第１の表面を備えている、第１の極性を有する第１のＧａＮ層と、
前記第１のＧａＮ層上の活性層と、
前記活性層上の第２の極性を有する第２のＧａＮ層と、
前記第２のＧａＮ層の第２の表面上の第２の極性を有する電極とを有して構成され、
前記反射導電層が第１の極性を有する電極として機能する、発光ダイオード。
【請求項２】
前記金属層が第１のパッドとして機能するように構成される、請求項１に記載の発光ダイオード。
【請求項３】
前記反射導電層が、前記活性層からの光を前記第２の表面に向けて反射させて前記第２の表面を通過させるように構成される、請求項１に記載の発光ダイオード。
【請求項４】
前記反射導電層および前記第２の表面が、前記反射導電層が前記活性層からの光を前記第２の表面に向けて反射させて前記第２の表面を通過させるように構成される、請求項１に記載の発光ダイオード。
【請求項５】
前記金属層が、前記第１の表面と実質的に同一の面積を有する、請求項１に記載の発光ダイオード。
【請求項６】
前記反射導電層が、アルミニウム、金、チタンおよびクロムから構成されるグループから選択される金属を含む、請求項１に記載の発光ダイオード。
【請求項７】
前記第２のＧａＮ層上に、透過性導電層をさらに有する、請求項１に記載の発光ダイオード。
【請求項８】
透過性導電層が酸化インジウム−錫を含む、請求項７に記載の発光ダイオード。
【請求項９】
第２の極性を有する前記電極上に、第２のパッドをさらに有する、請求項１に記載の発光ダイオード。
【請求項１０】
前記第２のパッドの厚さが約０．５μｍ以上である、請求項９に記載の発光ダイオード。
【請求項１１】
前記第２のパッドの幅が、第２の極性を有する前記電極の幅と実質的に同一である、請求項９に記載の発光ダイオード。
【請求項１２】
前記反射導電層が、Ｔｉ／Ａｌ、Ｃｒ／ＡｕおよびＴｉ／Ａｕから構成されるグループから選択される物質を含む、請求項１に記載の発光ダイオード。
【請求項１３】
第２の極性を有する前記電極が、Ｎｉ／Ａｕ、Ｐｄ／Ａｕ、Ｐｄ／ＮｉおよびＰｔから構成されるグループから選択される物質を含む、請求項１に記載の発光ダイオード。
【請求項１４】
前記活性層がＡｌＩｎＧａＮを含む、請求項１に記載の発光ダイオード。
【請求項１５】
第１の極性がｎ型であり、第２の極性がｐ型である、請求項１に記載の発光ダイオード。
【請求項１６】
前記活性層と前記第２のＧａＮ層との間に、クラッディング層をさらに有する、請求項１に記載の発光ダイオード。
【請求項１７】
前記クラッディング層がＡｌＧａＮを含む、請求項１６に記載の発光ダイオード。
【請求項１８】
前記第１のＧａＮ層が第１の極性を有するＧａＮ緩衝層を含む、請求項１に記載の発光ダイオード。
【請求項１９】
前記第１のＧａＮ層が前記反射導電層に接触する、請求項１８に記載の発光ダイオード。
【請求項２０】
前記ＧａＮ緩衝層の厚さが１〜２μｍである、請求項１８に記載の発光ダイオード。
【請求項２１】
前記第１のＧａＮ層が、シリコンによりドープ処理される、請求項１に記載の発光ダイオード。
【請求項２２】
シリコンのドープ濃度が約１０１７ｃｍ−３以上である、請求項２１に記載の発光ダイオード。
【請求項２３】
前記第２のＧａＮ層が、マグネシウムによりドープ処理される、請求項１に記載の発光ダイオード。
【請求項２４】
マグネシウムのドープ濃度が約１０１７ｃｍ−３以上である、請求項２３に記載の発光ダイオード。
【請求項２５】
第２の極性を有する前記電極が、前記第２の表面の端部に、あるいは端部近傍に配置される、請求項１に記載の発光ダイオード。
【請求項２６】
前記反射導電層が前記第１の表面に対向する第３の表面を備え、前記第１の表面が前記第３の表面と実質的に同一の面積を有する、請求項１に記載の発光ダイオード。
【請求項２７】
前記反射導電層の幅が、前記金属層の幅と実質的に同一である、請求項１に記載の発光ダイオード。
【請求項２８】
前記反射導電層と第２の極性を有する前記電極とが、前記活性層に対して実質的に垂直方向に配置されている、請求項１に記載の発光ダイオード。
【請求項２９】
前記反射導電層と第２の極性を有する前記電極とが、前記反射導電層と第２の極性を有する前記電極との間の静電気による影響を低減するように配置されている、請求項２８に記載の発光ダイオード。
【請求項３０】
前記反射導電層と第２の極性を有する前記電極とが、高電圧製品に適合するように配置される、請求項２８に記載の発光ダイオード。
【請求項３１】
前記反射導電層と第２の極性を有する前記電極とが、発光ダイオードの輝度を増大させるように配置される、請求項２８に記載の発光ダイオード。
【請求項３２】
発光ダイオードを製造する方法であって、
基板上に、１〜２μｍの厚さを有する緩衝層を形成する工程と、
前記緩衝層上に、第１の極性を有する第１のＧａＮ層を形成する工程と、
前記第１のＧａＮ層上に、活性層を形成する工程と、
前記活性層上に、第２の極性を有する第２のＧａＮ層を形成する工程と、
レーザを使用して、前記第１のＧａＮ層から前記基板を分離する工程と、
前記第１のＧａＮ層上に、第１の極性を有する第１の接触層を形成する工程と、
前記第２のＧａＮ層上に、第２の極性を有する第２の接触層を形成する工程とを有し、
前記第１の接触層が、前記活性層からの光を反射する反射層として機能する、発光ダイオード製造方法。
【請求項３３】
基板を分離する前に、前記第２の接触層が形成される、請求項３２に記載の発光ダイオード製造方法。
【請求項３４】
緩衝層を形成する前記工程が、
前記基板上に、第１の緩衝層を形成する工程と、
前記第１の緩衝層上に、第２の緩衝層を形成する工程とを有する、請求項３２に記載の発光ダイオード製造方法。
【請求項３５】
前記第２の緩衝層上に、第３の緩衝層を形成する工程をさらに有する、請求項３４に記載の発光ダイオード製造方法。
【請求項３６】
緩衝層を形成する前記工程が、第１の極性を有するＧａＮ層を形成する工程を有する、請求項３２に記載の発光ダイオード製造方法。
【請求項３７】
前記第１の接触層上に、金を含む金属層を形成する工程をさらに有する、請求項３２に記載の発光ダイオード製造方法。
【手続補正書】
【提出日】平成22年5月13日(2010.5.13)
【手続補正１】
【補正対象書類名】特許請求の範囲
【補正対象項目名】請求項２
【補正方法】変更
【補正の内容】
【請求項２】
請求項１に記載の波長可変レーザ光源装置において、
前記利得制御手段は、前記所定値の設定変更に応じて、前記駆動電流を調整する、
ことを特徴とする波長可変レーザ光源装置。
【手続補正２】
【補正対象書類名】特許請求の範囲
【補正対象項目名】請求項３
【補正方法】変更
【補正の内容】
【請求項３】
請求項１または２に記載の波長可変レーザ光源装置において、
前記利得制御手段は、前記半導体光増幅器の経時劣化による前記レーザ光の光強度の低下を補償するよう、前記駆動電流を調整する、
ことを特徴とする波長可変レーザ光源装置。
【手続補正３】
【補正対象書類名】明細書
【補正対象項目名】００１９
【補正方法】変更
【補正の内容】
【００１９】
また、本発明の一態様では、前記利得制御手段は、前記所定値の設定変更に応じて、前記駆動電流を調整する。
【手続補正４】
【補正対象書類名】明細書
【補正対象項目名】００２１
【補正方法】変更
【補正の内容】
【００２１】
また、本発明の一態様では、前記利得制御手段は、前記半導体光増幅器の経時劣化による前記レーザ光の光強度の低下を補償するよう、前記駆動電流を調整する。
【手続補正書】
【提出日】平成21年8月18日(2009.8.18)
【手続補正１】
【補正対象書類名】明細書
【補正対象項目名】発明の名称
【補正方法】変更
【補正の内容】
【発明の名称】草木花茎部の支持具
【補正により増加する請求項の数１】
【手続補正２】
【補正対象書類名】特許請求の範囲
【補正対象項目名】全文
【補正方法】変更
【補正の内容】
【特許請求の範囲】
【請求項１】
陶磁器製基盤本体に、上下に貫通する垂直ないし、やや傾斜した大小異なる孔を複数個設け、基盤本体底部にくぼみをもたせ、通水性をよくし、該基盤本体下部から外方に張り出した脚部を具え安定性を高めた草木花茎部の支持具
【請求項２】
基盤本体がガラス成形品である請求項１記載の草木花茎部の支持具
【手続補正３】
【補正対象書類名】明細書
【補正対象項目名】発明の明細な説明
【補正方法】変更
【補正の内容】
【発明の詳細な説明】
【技術分野】
【０００１】本発明は生け花の安定性と通水性を図った草木花の支持具に関する。
【手続補正４】
【補正対象書類名】明細書
【補正対象項目名】０００８
【補正方法】変更
【補正の内容】
【０００８】針の無い支持具を使う事により、茎を傷めず草木花を長持ちさせる。
【手続補正５】
【補正対象書類名】明細書
【補正対象項目名】０００９
【補正方法】変更
【補正の内容】
【０００９】  厚みのある支持具に無数の大小異なる孔を設ける事により、太さの違う草木花を安定して活ける事が出来る。
【手続補正６】
【補正対象書類名】明細書
【補正対象項目名】００１０
【補正方法】変更
【補正の内容】
【００１０】支持具の底部にくぼみを持たせる事により通水性が高められ、本体より張り出した脚を付ける事により、更なる安定性も得る事が出来る。又、脚を付ける事により見た目にも可愛らしい。
【手続補正７】
【補正対象書類名】明細書
【補正対象項目名】００１１
【補正方法】変更
【補正の内容】
【００１１】支持具底部にくぼみを持たせ脚を付ける事により、本体が持ち上がるで、斜切された草木花の切り口が水に触れる度合いが大きいので、十分な水を吸収する事が出来る。
【手続補正８】
【補正対象書類名】明細書
【補正対象項目名】００１２
【補正方法】変更
【補正の内容】
【００１２】
【発明の効果】
以上のように支持具に大小異なる複数の孔を設け、本体底部にくぼみを持たせ、本体より外方に張り出した脚を具える事で、多種多様な草木花の茎を安定させ活ける事が出来、通水性と安定性にとんだ支持具が出来る。
【手続補正９】
【補正対象書類名】明細書
【補正対象項目名】００１４
【補正方法】変更
【補正の内容】
【００１４】
【実地例】
図１は側面図で、厚みのある支持具を使う事で草木花を安定させると同時に、支持具本体下部から外方に張り出した脚部を具え、本体のより一層の安定性を支持具に持たせる。脚を具えるのは見た目にも可愛らしい。
【手続補正１０】
【補正対象書類名】明細書
【補正対象項目名】００１８
【補正方法】変更
【補正の内容】
【００１８】    図５は実用例で、実際に器に支持具を入れ、草木花を活けてみても基盤本体から外方に張り出した脚部を具え安定性があり草木花の切り口が見えにくい為、見た目にも美しい。支持具本体から張り出した脚が何とも可愛らしい。
【手続補正１１】
【補正対象書類名】明細書
【補正対象項目名】００２０
【補正方法】変更
【補正の内容】
【００２０】
【産業上の利用可能性】
本考案は草木花の支持具であり、基盤本体に上下に貫通する垂直ないしやや傾斜した孔を複数個設け、底部にくぼみをもたせ該基盤本体下部から外方に張り出した脚部を具える事で草木花を安定させ活ける事が出来る
通水性と安定性にとんだ支持具である。
【手続補正１２】
【補正対象書類名】明細書
【補正対象項目名】図面の簡単な説明
【補正方法】変更
【補正の内容】
【図面の簡単な説明】
【図１】本考案の支持具の側面図
【図２】支持具の底面図
【図３】支持具を真上から見た図
【図４】支持具の断面図
【図５】支持具の実用図
【図６】支持具に花を活けた状態の断面図
【符号の説明】
１  支持具本体
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
静磁場空間において被検体にＲＦパルスを照射することによって前記被検体において発生する磁気共鳴信号に基づいて、前記被検体の画像を生成する磁気共鳴イメージング装置であって、
前記被検体において発生する前記磁気共鳴信号を得るナビゲータシーケンスを含むシーケンスを実施するスキャン部と、
前記スキャン部が前記ナビゲータシーケンスを実施することによって得られた磁気共鳴信号の強度のプロファイル、及び、磁気共鳴信号の位相のプロファイルを作成するプロファイル生成部と、
前記プロファイル生成部が生成した前記磁気共鳴信号の強度のプロファイルにおける強度の情報、及び、前記プロファイル生成部が生成した磁気共鳴信号の位相のプロファイルにおける位相の情報に基づいて前記被検体の所定の領域を識別する識別部と、
を有する磁気共鳴イメージング装置。
【請求項２】
前記識別部は、前記被検体における所定の位置に対応する前記プロファイルの磁気共鳴信号の強度が所定のしきい値以上であるか否かによって、前記領域を識別する
請求項１に記載の磁気共鳴イメージング装置。
【請求項３】
前記識別部は、前記被検体における所定範囲の位置に対応する前記プロファイルの磁気共鳴信号の強度が所定のしきい値以上であるか否かによって、前記領域を識別する
請求項２に記載の磁気共鳴イメージング装置。
【請求項４】
前記識別部は、前記被検体における所定範囲の位置に対応する前記プロファイルの磁気共鳴信号の位相の標準偏差が所定のしきい値以上であるか否かによって、前記領域を識別する
請求項３に記載の磁気共鳴イメージング装置。
【請求項５】
前記識別部は、前記被検体における所定範囲の位置に対応する前記プロファイルの磁気共鳴信号の位相の標準偏差が所定のしきい値以上である場合に、前記被検体における所定範囲については前記領域を識別する対象から除外する
請求項４に記載の磁気共鳴イメージング装置。
【請求項６】
前記識別部が前記領域を識別する対象から除外される前記被検体における所定範囲には、前記プロファイルに血流による磁気共鳴信号が含まれている
請求項５に記載の磁気共鳴イメージング装置。
【請求項７】
前記スキャン部は、ナビゲータシーケンスを実施する場合は、磁気共鳴信号を得る前に予め前記被検体に対して勾配磁場を加える
請求項１から請求項６のいずれかに記載の磁気共鳴イメージング装置。
【請求項８】
前記スキャン部が加える勾配磁場は、極性を互いに反転させた勾配磁場が含まれる
請求項７に記載の磁気共鳴イメージング装置。
【請求項９】
前記ナビゲータシーケンスのナビゲータエコーは、９０°−１８０°励起の線励起スピンエコー型、又は、グラジエントエコー型である
請求項１から請求項８のいずれかに記載の磁気共鳴イメージング装置。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
ゲート電極層、ゲート絶縁層、半導体層、一導電性を有する半導体層、ソース電極層及びドレイン電極層を有する逆スタガ型トランジスタを備えた半導体装置の作製方法であって、
前記ゲート電極層を形成する第１の工程と、
前記ゲート絶縁層を形成する第２の工程と、
前記半導体層及び前記一導電性を有する半導体層を形成する第３の工程と、
前記ソース電極層及び前記ドレイン電極層を形成する第４の工程と、
を有し、
前記第１の工程は、
第１の導電層を形成する工程と、
前記第１の導電層上に第１の光吸収層を形成する工程と、
前記第１の光吸収層上に第１の絶縁層を形成する工程と、
第１のフォトマスクを介し、前記第１の絶縁層側から第１のレーザビームを照射することによって、前記第１のレーザビームが照射された領域の前記第１の絶縁層及び前記第１の光吸収層を除去する工程と、
残存する前記第１の絶縁層及び前記第１の光吸収層を第１のマスクとし、前記第１の導電層をエッチングすることによって前記ゲート電極層を形成する工程と、
前記第１のマスクとして用いた前記第１の絶縁層及び前記第１の光吸収層を除去する工程と、を含み、
前記第２の工程は、
前記ゲート電極層上に前記ゲート絶縁層を形成する工程を含み、
前記第３の工程は、
前記ゲート絶縁層上に第１の半導体層を形成する工程と、
前記第１の半導体層上に一導電性を有する第２の半導体層を形成する工程と、
前記第２の半導体層上に第２の光吸収層を形成する工程と、
前記第２の光吸収層上に第２の絶縁層を形成する工程と、
第２のフォトマスクを介し、前記第２の絶縁層側から第２のレーザビームを照射することによって、前記第２のレーザビームが照射された領域の前記第２の絶縁層及び前記第２の光吸収層を除去する工程と、
残存する前記第２の絶縁層及び前記第２の光吸収層を第２のマスクとし、前記第２の半導体層及び前記第１の半導体層をエッチングすることによって、それぞれ、前記一導電性を有する半導体層及び前記半導体層を形成する工程と、
前記第２のマスクとして用いた前記第２の光吸収層及び前記第２の絶縁層を除去する工程と、を含み、
前記第４の工程は、
前記一導電性を有する半導体層上に第２の導電層を形成する工程と、
前記第２の導電層上に第３の光吸収層を形成する工程と、
前記第３の光吸収層上に第３の絶縁層を形成する工程と、
第３のフォトマスクを介し、前記第３の絶縁層側から第３のレーザビームを照射することによって、前記第３のレーザビームが照射された領域の前記第３の絶縁層及び前記第３の光吸収層を除去する工程と、
残存する前記第３の絶縁層及び前記第３の光吸収層を第３のマスクとし、前記第２の導電層をエッチングすることによって前記ソース電極層及び前記ドレイン電極層を形成する工程と、
前記第３のマスクとして用いた前記第３の絶縁層及び前記第３の光吸収層を除去する工程と、を含み、
前記第１乃至第３の絶縁層は、それぞれ、前記第１乃至第３のレーザビームを透過する材料で形成し、
前記第１乃至第３の光吸収層は、それぞれ、前記第１乃至第３のレーザビームを吸収する材料で形成する
ことを特徴とする半導体装置の作製方法。
【請求項２】
ゲート電極層、ゲート絶縁層、半導体層、一導電性を有する半導体層、ソース電極層及びドレイン電極層を有する逆スタガ型トランジスタを備えた半導体装置の作製方法であって、
前記ゲート電極層を形成する第１の工程と、
前記ゲート絶縁層を形成する第２の工程と、
前記半導体層及び前記一導電性を有する半導体層を形成する第３の工程と、
前記ソース電極層及び前記ドレイン電極層を形成する第４の工程と、
を有し、
前記第１の工程は、
第１の導電層を形成する工程と、
前記第１の導電層上に第１の光吸収層を形成する工程と、
前記第１の光吸収層上に第１の絶縁層を形成する工程と、
第１のフォトマスクを介し、前記第１の絶縁層側から第１のレーザビームを照射することによって、前記第１のレーザビームが照射された領域の前記第１の絶縁層及び前記第１の光吸収層を除去する工程と、
残存する前記第１の絶縁層及び前記第１の光吸収層を第１のマスクとし、前記第１の導電層をエッチングすることによって前記ゲート電極層を形成する工程と、
前記第１のマスクとして用いた前記第１の絶縁層及び前記第１の光吸収層を除去する工程と、を含み、
前記第２の工程は、
前記ゲート電極層上に前記ゲート絶縁層を形成する工程を含み、
前記第３の工程は、
前記ゲート絶縁層上に第１の半導体層を形成する工程と、
前記第１の半導体層上に一導電性を有する第２の半導体層を形成する工程と、
前記第２の半導体層上に第２の光吸収層を形成する工程と、
前記第２の光吸収層上に第２の絶縁層を形成する工程と、
第２のフォトマスクを介し、前記第２の絶縁層側から第２のレーザビームを照射することによって、前記第２のレーザビームが照射された領域の前記第２の絶縁層及び前記第２の光吸収層を除去する工程と、
残存する前記第２の絶縁層及び前記第２の光吸収層を第２のマスクとし、前記第２の半導体層及び前記第１の半導体層をエッチングすることによって、それぞれ、前記一導電性を有する半導体層及び前記半導体層を形成する工程と、を含み、
前記第４の工程は、
第３のフォトマスクを介し、前記第２のマスクとして用いた前記第２の絶縁層側から第３のレーザビームを照射することによって、前記第３のレーザビームが照射された領域の前記第２の絶縁層及び前記第２の光吸収層を除去する工程と、
残存する前記第２の光吸収層を前記ソース電極層及び前記ドレイン電極層とし、前記第２の絶縁層は除去する工程と、を含み、
前記第１の絶縁層は、前記第１のレーザビームを透過する材料で形成し、
前記第２の絶縁層は、前記第２及び第３のレーザビームを透過する材料で形成し、
前記第１の光吸収層は、前記第１のレーザビームを吸収する材料で形成し、
前記第２の光吸収層は、前記第２及び第３のレーザビームを吸収する材料で形成する
ことを特徴とする半導体装置の作製方法。
【請求項３】
請求項１において、
前記第３の光吸収層は、前記第２の導電層の融点の温度よりも、沸点又は昇華点の温度が低い材料を用いて形成することを特徴とする半導体装置の作製方法。
【請求項４】
請求項１乃至３のいずれか一において、
前記ソース電極層及び前記ドレイン電極層をマスクとし、前記一導電性を有する半導体層をエッチングすることによって、前記ソース電極層及び前記ドレイン電極層の間で前記半導体層の一部を露出させる工程を有することを特徴とする半導体装置の作製方法。
【請求項５】
請求項４において、
前記半導体層の露出部は、前記半導体層の他の部分に比べて凹むことを特徴とする半導体装置の作製方法。
【請求項６】
請求項１乃至５のいずれか一において、
前記第１の光吸収層は、前記第１の導電層の融点の温度よりも、沸点又は昇華点の温度が低い材料を用いて形成し、
前記第２の光吸収層は、前記第２の半導体層の融点の温度よりも、沸点又は昇華点の温度が低い材料を用いて形成することを特徴とする半導体装置の作製方法。
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
ハウジングと、
該ハウジングに対して回転運動するように該ハウジングに支持された出力部材と、
前記ハウジング内に配置され、前記出力部材の回転を駆動すべく出力部材に動作可能に接続された空気圧モータと、
モータに動力をもたらすため、加圧空気の供給源から加圧空気を導入するために前記ハウジングに形成された導入口と、
前記導入口から前記空気圧モータへと加圧空気を導くための前記ハウジング内に形成された通路と、
前記通路内の加圧空気を前記空気圧モータを順方向に動かすように導く第１の位置と前記通路内の加圧空気を前記空気圧モータを逆方向に動かすように導く第２の位置との間で、長手軸を中心とする回転運動および該長手軸に沿った平行移動の一方を行うように前記通路に配置された該長手軸を有するバルブと、
前記ハウジングに対して前記回転運動または平行移動の他方を行うように、前記ハウジングに支持されたアクチュエータと、
前記アクチュエータと前記バルブとを互いに接続するコネクタと、
を有する空気動力回転工具において、
前記コネクタは、第１および第２のコネクタ部材を有しており、前記第１および第２のコネクタ部材の少なくとも一方は前記バルブの軸方向面から軸方向に突出したクランクを有し、前記２つのコネクタ部材は第１の方向においては実質的に連動するとともに、前記第１の方向と実質的に直交する第２の方向においては相対的にスライド運動するように係合していることを特徴とする空気動力回転工具。
【請求項２】
前記第１のコネクタ部材はステムを有しており、前記第２のコネクタ部材は前記ステムを受け入れる溝を有している請求項１に記載の空気動力回転工具。
【請求項３】
前記ステムは前記バルブに組み合わせられ、前記溝は前記アクチュエータに組み合わせられている請求項２に記載の空気動力回転工具。
【請求項４】
前記溝は、前記バルブの長手軸に実質的に直交して延びている請求項３に記載の空気動力回転工具。
【請求項５】
前記バルブは前記長手軸を中心として回転運動を行うように設けられ、前記アクチュエータは平行移動を行うように設けられている請求項３に記載の空気動力回転工具。
【請求項６】
前記ステムは前記バルブの軸方向を向いた端部から軸方向に突き出しており、前記バルブの長手軸から偏心した位置に配置されている請求項５に記載の空気動力回転工具。
【請求項７】
前記アクチュエータは、前記ハウジングに対して実質的に横方向で且つ前記バルブの長手軸に対して実質的に直交方向に延びるピンを有している請求項６に記載の空気動力回転工具。
【請求項８】
前記ピンは第１および第２の対向端部を有しており、前記ピンの第１の端部は、前記モータが順方向に動作しているときに前記ハウジングから突き出し、前記ピンの第２の端部は、前記モータが逆方向に動作しているときに前記ハウジングから突き出す請求項７に記載の空気動力回転工具。
【請求項９】
前記アクチュエータは第１の押しボタンを有している請求項１に記載の空気動力回転工具。
【請求項１０】
前記アクチュエータは第２の押しボタンをさらに有しており、前記第１の押しボタンは前記バルブを前記第１の位置から前記第２の位置へと動かすように構成され、前記第２の押しボタンは前記バルブを前記第２の位置から前記第１の位置へと動かすように構成された請求項９に記載の空気動力回転工具。
【請求項１１】
前記空動きの接続システムが、それぞれの押しボタン用にタブおよび溝を有している請求項１０に記載の空気動力回転工具。
【請求項１２】
前記タブが前記バルブと組み合わせられ、前記第１および第２の押しボタンのそれぞれが、前記タブのうちの対応する１つを収容する溝を有している請求項１１に記載の空気動力回転工具。
【請求項１３】
前記第１および第２の押しボタンは、前記ハウジングの後端に横並びで配置されている請求項１０に記載の空気動力回転工具。
【請求項１４】
前記バルブは、前記通路において前記導入口からの空気の流れを、前記バルブを通過させて導く平面デフレクタを有しており、該デフレクタは、空気を第１の方向と第２の方向の一方に流れるように導き、前記第１の方向に流れる空気が前記モータを順方向に動作させ、前記第２の方向に流れる空気が前記モータを逆方向に動作させる請求項１に記載の空気動力回転工具。
【請求項１５】
前記アクチュエータは平行移動を行うように設けられ、前記デフレクタは前記バルブの長手軸を中心として回転運動を行うように設けられ、前記アクチュエータの平行移動によって前記デフレクタの回転運動が生じる請求項１４に記載の空気動力回転工具。
【請求項１６】
前記バルブは第１のバルブ部材および第２のバルブ部材を有しており、前記第１のバルブ部材は、前記第１の位置と前記第２の位置との間で回転運動を行うように、前記第２のバルブ部材の内側に回転可能に収容されている請求項１に記載の空気動力回転工具。
【請求項１７】
前記バルブは、前記アクチュエータを前記第１のバルブ部材と動作可能に接続する細長い軸棒をさらに有している請求項１６に記載の空気動力回転工具。
【請求項１８】
前記軸棒はタブを有し、前記アクチュエータは溝を有し、該溝は、前記アクチュエータの平行移動を前記軸棒の回転運動へと伝えるべく前記タブを収容しており、
前記軸棒は、前記軸棒の回転に連動して前記第１のバルブ部材が回転するよう、前記第１のバルブ部材に係合できるフィンガをさらに有している請求項１７に記載の空気動力回転工具。
【請求項１９】
前記軸棒のフィンガは穴を有しており、前記第１のバルブ部材は延伸部を有しており、前記フィンガを前記第１のバルブ部材に固定すべく前記穴が前記延伸部を収容するように、前記フィンガは前記第１のバルブ部材と係合している請求項１８に記載の空気動力回転工具。
【請求項２０】
前記アクチュエータは、前記第１のバルブ部材と動作可能に接続された第１および第２の押しボタンを有しており、前記第１の押しボタンは前記第１のバルブ部材を前記第１の位置から前記第２の位置へと動かすように構成され、前記第２の押しボタンは前記第１のバルブ部材を前記第２の位置から前記第１の位置へと動かすように構成されている請求項１６に記載の空気動力回転工具。
【請求項２１】
前記空動きの接続システムは前記各押しボタン用にタブおよび溝を備えており、該タブは前記第１のバルブ部材と組み合わせられ、前記第１および第２の押しボタンの各々は、前記押しボタンを第１のバルブ部材と動作可能に接続する前記タブのうちの対応する１つをそれぞれ収容する溝を有している請求項２０に記載の空気動力回転工具。
【請求項２２】
前記導入口の選択的な開放と閉鎖を操作するようにスライドできるプランジャをさらに有し、前記通路への加圧空気の導入を選択的に可能とし、
前記バルブは、前記第１および第２の位置の間で、回転軸上で前記プランジャを実質的に中心として選択的に回転できる請求項１に記載の空気動力回転工具。
【請求項２３】
前記第１のコネクタ部材は、前記アクチュエータから外に延びて前記アクチュエータの操作軸に実質的に直交して延びる溝を有しており、
前記第２のコネクタ部材は、前記バルブから外に延びて前記スライド部材の溝に収容されるステムを有している請求項２２に記載の空気動力回転工具。
【手続補正書】
【提出日】平成21年12月17日(2009.12.17)
【手続補正１】
【補正対象書類名】特許請求の範囲
【補正対象項目名】請求項１５
【補正方法】変更
【補正の内容】
【請求項１５】
前記上翼部（２１）の後部は、下方に突出しているガイドフランジ２７を有しており、前記ガイドフランジ２７の内側面は、少なくともスライダー（２０）の後端部（２６）において、上翼部（２１）に対して９０度で形成されており、上面の方向にテーパー状に形成された出口部（３５´）を設けていることを特徴とする請求項１乃至１４のいずれか１項に記載された耐流体スライドファスナー用スライダー。
【手続補正２】
【補正対象書類名】明細書
【補正対象項目名】００３８
【補正方法】変更
【補正の内容】
【００３８】  第２実施例においては、上側フランジ２７と上翼部２１との間のコーナーにコーナー部材（ＦＩＬＬＥＴ）４０が設けられている。これによって、スライダーの後端部２６には、ファスナーのコーティング層１５の面（側部フランジ２７の底縁部）から上翼部２３方向に向けて内方にテーパー状に形成されている出口部３５´が形成されるのである。コーナー部材４０は、スライドファスナーの密封リップ１１をガイドするように働き、密封リップ１１の上面を合わせるような形状であればよい。
【手続補正３】
【補正対象書類名】図面
【補正対象項目名】図９
【補正方法】変更
【補正の内容】
【図９】
2008073535.tif 000001
【手続補正書】
【提出日】平成22年4月7日(2010.4.7)
【手続補正１】
【補正対象書類名】明細書
【補正対象項目名】００１６
【補正方法】変更
【補正の内容】
【００１６】
この実施例の多頭刺繍機２１によれば、ミシンヘッド３のヘッド中心間ピッチ（Ｐ２）を１６０〜３００ｍｍに設定し、かつ一台のモータ２２を主軸４の中央部に連結したので、実施例１と同様、標準部品を多用して主軸４の捩れを抑え、最大３０頭の多頭刺繍機２１を安価に製作することができる。特に、ミシンヘッド３を比較的広いヘッド中心間ピッチ（Ｐ２）で並設したので、各ヘッド３に多数本の針棒５を配列して、多色刺繍柄の加工に適した刺繍機２１を構成できる利点がある。
【手続補正書】
【提出日】平成22年8月22日(2010.8.22)
【手続補正１】
【補正対象書類名】明細書
【補正対象項目名】発明の名称
【補正方法】変更
【補正の内容】
【発明の名称】パチンコ遊技台
【手続補正２】
【補正対象書類名】特許請求の範囲
【補正対象項目名】全文
【補正方法】変更
【補正の内容】
【特許請求の範囲】
【請求項１】
上皿部にパチンコ玉を供給する玉出部と、
パチンコ遊技の入賞結果に基づく獲得玉数が加算され、前記玉出部が前記上皿部へ供給したパチンコ玉の数が減算される、遊技者の持ち玉数が記録される持玉計数部と、
前記玉出部から前記上皿部に供給されたパチンコ玉で、遊技用に供されなかったパチンコ玉の数を計数する皿玉計数部とを有し、
前記皿玉計数部で計数されたパチンコ玉の数を前記持玉計数部へ加算するようにしたこと
を特徴とするパチンコ遊技台。
【請求項２】
前記上皿部は前記上皿部におけるパチンコ玉の有無を判別するセンサを有し、
前記上皿部にパチンコ玉が有ると前記センサが判別した場合に前記パチンコ遊技の入賞結果に基づく獲得玉数が前記持玉計数部へ加算され、
前記上皿部にパチンコ玉が無いと前記センサが判別した場合に前記玉出部が前記上皿部に前記パチンコ遊技の入賞結果に基づく獲得玉数分のパチンコ玉を供給すること
を特徴とする請求項１に記載のパチンコ遊技台。
【請求項３】
スピーカーを有し、
前記パチンコ遊技の入賞結果に基づく獲得玉数が前記持玉計数部に加算されるときに、あたかもパチンコ玉が前記上皿部へ供給されたかのような擬似音を前記スピーカーから発せさせること
を特徴とする請求項２に記載のパチンコ遊技台。
【請求項４】
カード読み書き装置を有し、
前記持玉計数部に記録されている持ち玉数がゼロで、前記上皿部にパチンコ玉が無いと前記センサが判別した場合に、所定数のパチンコ玉を前記上皿部へ供給するとともに、前記カード読み書き装置に挿入されているパチンコカードに書き込まれている購入玉数からその所定数を減じる自動モードを有すること
を特徴とする請求項２に記載のパチンコ遊技台。
【手続補正書】
【提出日】平成22年8月22日(2010.8.22)
【手続補正１】
【補正対象書類名】明細書
【補正対象項目名】発明の名称
【補正方法】変更
【補正の内容】
【発明の名称】パチンコ遊技台
【手続補正２】
【補正対象書類名】特許請求の範囲
【補正対象項目名】全文
【補正方法】変更
【補正の内容】
【特許請求の範囲】
【請求項１】
遊技者が獲得したパチンコ玉の数が記録される持玉計数部と、パチンコカードの情報が記録されるメモリと、カード読み書き装置と、前記遊技者が一時的に離れる場合に押される離席スイッチを有し、
前記離席スイッチが押されると前記カード読み書き装置に挿入されているパチンコカードに前記持玉計数部に記録されているパチンコ玉の数を示す持ち玉数情報と、前記持ち玉数情報を認識するための持ち玉認識情報が書き込まれた後、前記パチンコカードが前記カード読み書き装置から排出され、
前記カード読み書き装置に前記パチンコカードが再挿入されると、前記パチンコカードに書き込まれている前記持ち玉数情報および前記持ち玉認識情報が読み出され、前記メモリに記録されている前記遊技者が所持しているパチンコカードのカード情報と同等のカード情報である持ち玉数情報および持ち玉認識情報とそれぞれ比較されて、一致した場合に前記再挿入されたパチンコカードが前記遊技者が直前に挿入していたパチンコカードであると判断される
ことを特徴とするパチンコ遊技台。
【請求項２】
前記持ち玉認識情報は、前記持ち玉数情報を認識可能なＩＤコードであること
を特徴とする請求項１に記載のパチンコ遊技台。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
少なくとも１つの画像化モダリティと、
画像化モダリティのデータから画像を描くように構成されたプロセッサ、
患者の動きを検出するセンサ、
患者の動きの影響について画像を補正するように構成されたプロセッサ、
患者モニタ、
血糖分析装置、
血液分析装置、
画像融合ユニット、
コンピュータおよび患者データを入力するためのインターフェイス
の内から選択された２つ以上の装置と
を含み、画像化モダリティと前記２つ以上の装置とがデータインターフェイスを利用して通信を行う
ことを特徴とする診断または治療装置。
【請求項２】
画像化モダリティはＣアームＸ線装置であることを特徴とする請求項１に記載の診断または治療装置。
【請求項３】
画像化モダリティは、コンピュータ断層撮影装置（ＣＴ）、磁気共鳴画像化装置（ＭＲＩ）、陽電子放出型断層撮影装置（ＰＥＴ）、単一光子放出型コンピュータ断層撮影装置（ＳＰＥＣＴ）、または、超音波画像化モダリティのうちの１つ又はそれ以上から選択されることを特徴とする請求項１に記載の診断または治療装置。
【請求項４】
患者モニタは、心電図（ＥＣＧ）、呼吸数、血圧または血液酸素飽和度（ＳｐＯ2）のうちの少なくとも１つを測定するように構成されていることを特徴とする請求項１に記載の診断または治療装置。
【請求項５】
画像融合ユニットは、画像セグメンテーション処理、患者の動きの補正処理、または、複数の画像化モダリティからの画像の融合処理のうち少なくとも１つの処理を実施するように構成されていることを特徴とする請求項１に記載の診断または治療装置。
【請求項６】
さらに、ローカルエリアネットワークまたは広域ネットワークとのデータインターフェイスが含まれることを特徴とする請求項１に記載の診断または治療装置。
【請求項７】
画像化モダリティのデータから画像を描くように構成されたプロセッサと、
患者の動きを検出するセンサと、
患者の動きの影響について画像を補正するように構成されたプロセッサと、
患者モニタと、
血糖分析装置と、
血液分析装置と、
画像融合ユニットと
から選択された３つ以上の装置が含まれることを特徴とする請求項１に記載の診断または治療装置。
【請求項８】
検査台上に患者を位置決めするステップと、
患者を識別するステップと、
患者モニタのセンサを取り付け患者パラメータを測定して記録するステップと、
画像化モダリティを利用して患者の一部のコンピュータ断層撮影画像を得るステップと、
患者の少なくとも一部の画像を再構成するステップと、
モニタまたはプロジェクタによって画像を表示するステップと
を含むことを特徴とする脳卒中診断方法。
【請求項９】
画像化モダリティはＣアームＸ線装置であることを特徴とする請求項８に記載の方法。
【請求項１０】
画像化モダリティは、コンピュータ断層撮影装置（ＣＴ）、磁気共鳴画像化装置（ＭＲＩ）、陽電子放出型断層撮影装置（ＰＥＴ）、単一光子放出型コンピュータ断層撮影装置（ＳＰＥＣＴ）、または、超音波装置のうちの少なくとも１つであることを特徴とする請求項８に記載の方法。
【請求項１１】
さらに、患者の動きの影響について画像化モダリティからの画像化データを補正することを特徴とする請求項８に記載の方法。
【請求項１２】
さらに、血液値およびマーカを測定する、あるいは、アクセス可能メモリに既に記憶されているそのようなデータを検索することを特徴とする請求項８に記載の方法。
【請求項１３】
さらに、画像化モダリティから得られた画像データをセグメント化することを特徴とする請求項８に記載の方法。
【請求項１４】
さらに、センサによって得られたデータを通信ネットワークを介して伝送することを特徴とする請求項８に記載の方法。
【請求項１５】
データが、搬送波上の情報を変調することによって伝送されることを特徴とする請求項１４に記載の方法。
【請求項１６】
患者識別情報を受信し、
患者に取り付けられたセンサから得られた患者パラメータを測定して記録し、
超音波を用いる第１の画像化モダリティから画像データを受信し、
電磁放射を用いる第２の画像化モダリティから画像データを受信し、
補正された受信画像データから患者の少なくとも一部の画像を再構成し、
モニタまたはプロジェクタによって画像を表示する
ように構成されたプロセッサを設けるステップが含まれていることを特徴とする脳卒中診断方法。
【請求項１７】
電磁放射を用いる第２の画像化モダリティがＣアームＸ線装置であることを特徴とする請求項１６に記載の方法。
【請求項１８】
プロセッサが、マシン可読媒体に記憶された命令によって構成されることを特徴とする請求項１６に記載の方法。
【請求項１９】
さらに、センサから受信したデータを通信ネットワークを介して伝送することを特徴とする請求項１６に記載の方法。
【請求項２０】
さらに、患者の動きに関する情報を受信し、患者の動きについて画像データを補正することを特徴とする請求項１６に記載の方法。
【請求項２１】
データが、搬送波上の情報を変調することによって伝送されることを特徴とする請求項１９に記載の方法。
【手続補正２】
【補正対象書類名】明細書
【補正対象項目名】発明の名称
【補正方法】変更
【補正の内容】
【発明の名称】診断または治療装置および脳卒中診断方法
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
プラテンの表面に記録紙を吸引しながら当該記録紙を搬送して印刷を行うプリンタであって、
前記プラテンの表面は、第１吸引領域と、当該第１吸引領域に対して記録紙搬送方向に直交する幅方向の少なくとも一方に隣接配置されている第２吸引領域とを備え、
前記第１吸引領域は、複数のリブと、これらリブの間に形成された複数の溝状の第１区画室と、各第１区画室の底面に形成された第１吸引孔とを備えており、
前記第２吸引領域は、前記記録紙搬送方向に対して下流側に傾斜しながら延びている複数本の傾斜リブと、これら傾斜リブの間に形成された複数の溝状の第２区画室と、各第２区画室の底面に形成された第２吸引孔とを備えていることを特徴とするプリンタ。
【請求項２】
請求項１に記載のプリンタにおいて、
前記第１吸引領域は、搬送対象の最小紙幅の前記記録紙が通過する前記プラテンの表面領域に形成されていることを特徴とするプリンタ。
【請求項３】
請求項１または２に記載のプリンタにおいて、
前記第２吸引領域は前記第１吸引領域の両側に形成されていることを特徴とするプリンタ。
【請求項４】
請求項３に記載のプリンタにおいて、
前記第２吸引領域は、前記第１吸引領域を挟み、左右対称の状態に形成されており、
各傾斜リブの前記記録紙搬送方向に対する傾斜角度はほぼ同一であることを特徴とするプリンタ。
【請求項５】
請求項１ないし４のうちのいずれかの項に記載のプリンタにおいて、
前記第２区画室には、相対的に幅の狭い狭幅区画室と幅の広い広幅区画室とが含まれており、
各広幅区画室はプラテン幅方向に延びる横リブによって前記記録紙搬送方向の上流側の小区画室と下流側の小区画室に仕切られており、
各小区画室に、それぞれ前記第２吸引孔が形成されていることを特徴とするプリンタ。
【請求項６】
請求項５に記載のプリンタにおいて、
前記狭幅区画室の開口面積と前記小区画室の開口面積はほぼ同一であり、
前記狭幅区画室に形成した前記第２吸引孔の開口面積と前記小区画室に形成した前記第２吸引孔の開口面積はほぼ同一であることを特徴とするプリンタ。
【請求項７】
請求項６に記載のプリンタにおいて、
前記狭幅区画室には前記記録紙搬送方向に離れた位置に２個の前記第２吸引孔が形成されており、
前記小区画室には１個の前記第２吸引孔が形成されており、
前記狭幅区画室に形成した２個の前記第２吸引孔の開口面積の合計と、前記小区画室に形成した１個の前記第２吸引孔の開口面積がほぼ同一であることを特徴とするプリンタ。
【請求項８】
請求項５ないし７のうちのいずれかの項に記載のプリンタにおいて、
各横リブにおける前記記録紙搬送方向の上流側には、当該横リブの上端面から前記底面に至る掬い面が形成されていることを特徴とするプリンタ。
【請求項９】
請求項５ないし８のうちのいずれかの項に記載のプリンタにおいて、
前記広幅区画室と前記狭幅区画室が交互に形成されていることを特徴とするプリンタ。
【請求項１０】
請求項１ないし９のうちのいずれかの項に記載のプリンタにおいて、
前記第１吸引領域の前記リブのそれぞれは、前記記録紙搬送方向に沿って延びていることを特徴とするプリンタ。
【手続補正２】
【補正対象書類名】明細書
【補正対象項目名】０００９
【補正方法】変更
【補正の内容】
【０００９】
上記の課題を解決するために、本発明は、プラテンの表面に記録紙を吸引しながら当該記録紙を搬送して印刷を行うプリンタであって、
前記プラテンの表面は、第１吸引領域と、当該第１吸引領域に対して記録紙搬送方向に直交する幅方向の少なくとも一方に隣接配置されている第２吸引領域とを備え、
前記第１吸引領域は、複数のリブと、これらリブの間に形成された複数の溝状の第１区画室と、各第１区画室の底面に形成された第１吸引孔とを備えており、
前記第２吸引領域は、前記記録紙搬送方向に対して下流側に傾斜しながら延びている複数本の傾斜リブと、これら傾斜リブの間に形成された複数の溝状の第２区画室と、各第２区画室の底面に形成された第２吸引孔とを備えていることを特徴としている。
【手続補正３】
【補正対象書類名】明細書
【補正対象項目名】００１２
【補正方法】変更
【補正の内容】
【００１２】
また、傾斜リブは記録紙搬送方向に沿って上流側から下流側に向けて外方に広がる方向に傾斜していることが望ましい。傾斜リブが逆方向に傾斜している場合には、記録紙の先端縁の両端が倒れ込んだ状態で搬送される場合には、当該先端縁が、搬送方向に沿って狭くなっている傾斜リブの側面に当たり、当該側面によって内側にガイドされて更に倒れ込み量が増して、搬送が妨げられしまうおそれがある。本発明では、搬送方向に沿って広がる方向に傾斜リブが延びているので、記録紙の先端縁がリブの側面に当たっても、搬送に伴って、傾斜リブの側面によって記録紙の先端縁の倒れ込みが解消される外側にガイドされる。よって、記録紙がリブに当たって搬送が妨げられてしまうことがない。
【手続補正４】
【補正対象書類名】明細書
【補正対象項目名】００１３
【補正方法】変更
【補正の内容】
【００１３】
本発明において、プラテンの製造容易性、構造の単純化の観点から、前記第２吸引領域が前記第１吸引領域を挟み両側に形成される場合には、これら第２吸引領域を左右対称の状態に形成し、左右の各第２吸引領域において各傾斜リブの前記記録紙搬送方向に対する傾斜角度をほぼ同一としておくことが望ましい。
【手続補正５】
【補正対象書類名】明細書
【補正対象項目名】００１６
【補正方法】変更
【補正の内容】
【００１６】
本発明において、前記狭幅区画室の開口面積と前記小区画室の開口面積はほぼ同一であり、前記狭幅区画室に形成した前記第２吸引孔の開口面積と前記小区画室に形成した前記第２吸引孔の開口面積はほぼ同一であることが望ましい。このようにすると、各狭幅区画室および各小区画室による記録紙吸引力を均一にすることができ、第２吸引領域を通過する記録紙の各部分を均一な吸引力で吸引できる。
【手続補正６】
【補正対象書類名】明細書
【補正対象項目名】００１７
【補正方法】変更
【補正の内容】
【００１７】
本発明において、前記狭幅区画室には前記記録紙搬送方向に離れた位置に２個の前記第２吸引孔が形成されており、前記小区画室には１個の前記第２吸引孔が形成されており、前記狭幅区画室に形成した２個の前記第２吸引孔の開口面積の合計と、前記小区画室に形成した１個の前記第２吸引孔の開口面積がほぼ同一であることが望ましい。
【手続補正７】
【補正対象書類名】明細書
【補正対象項目名】００２１
【補正方法】変更
【補正の内容】
【００２１】
一方、本発明において、前記第１吸引領域の前記リブのそれぞれは、前記記録紙搬送方向に沿って延びていることが望ましい。当該第１吸引領域の幅は最小幅の記録紙とほぼ同一であるので、いずれの幅寸法の記録紙が搬送される場合であっても、記録紙の両側の縁端が記録紙搬送方向に延びているリブに掛かる。よって、記録紙の両側の縁端と、記録紙搬送方向に延びるリブとの間の一定幅の細くて長い隙間ができることがない。したがって、記録紙の縁端が振動して大きな振動音が発生することがないので、搬送抵抗が最も小さな記録紙搬送方向に延びるリブを第１吸引領域に形成しておくことが望ましい。
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
車輪側に取付けられたディスクロータヘ電動装置によって駆動されるブレーキパッドを押付け、この押付力により前記車輪を制動させるブレーキ本体と、前記ブレーキ本体が発生する押付力を保持することにより駐車ブレーキ作動を行なう押付力保持機構と、前記電動装置及び前記押付力保持機構を制御する制御装置と、を備えた電動ブレーキ装置において、
前記電動装置及び前記押付力保持機構へ電力を供給する電力供給部と、
前記車輪に設けられた車輪速センサが検出して得た車輪速センサ検出値を監視する監視部と、
前記押付力保持機構により駐車ブレーキが作動して押付力を保持した後に前記電力供給部への電源接続が遮断された場合には、前記監視部への電源接続を継続させ、駐車ブレーキ作動状態で前記車輪速センサ検出値に変化が生じたときに、前記電力供給部への電源接続を開始する電源制御部と、
を有することを特徴とする電動ブレーキ装置。
【請求項２】
請求項１に記載の電動ブレーキ装置において、前記電源制御部の作動により行われる電源接続に伴なって前記電力供給部に供給される電力によって、前記制御装置が駐車ブレーキをリクランプすることを特徴とする電動ブレーキ装置。
【請求項３】
請求項１又は２に記載の電動ブレーキ装置において、前記電源制御部は、前記監視部が前記車輪速センサ検出値の変化を監視し始めた後に、所定時間が経過した場合には、前記車輪速センサへの電源供給を遮断することを特徴とする電動ブレーキ装置。
【手続補正２】
【補正対象書類名】明細書
【補正対象項目名】０００５
【補正方法】変更
【補正の内容】
【０００５】
本発明においては、車輪側に取付けられたディスクロータヘ電動装置によって駆動されるブレーキパッドを押付け、この押付力により前記車輪を制動させるブレーキ本体と、前記ブレーキ本体が発生する押付力を保持することにより駐車ブレーキ作動を行なう押付力保持機構と、前記電動装置及び前記押付力保持機構を制御する制御装置と、を備えた電動ブレーキ装置において、電動装置及び押付力保持機構へ電力を供給する電力供給部と、車輪に設けられた車輪速センサが検出して得た車輪速センサ検出値を監視する監視部と、押付力保持機構により駐車ブレーキが作動して押付力を保持した後に前記電力供給部への電源接続が遮断された場合には、前記監視部への電源接続を継続させ、駐車ブレーキ作動状態で前記車輪速センサ検出値に変化が生じたときに、電力供給部への電源接続を開始する電源制御部と、を有することを特徴とする。